(57)【要約】【課題】  複数のピースを組み合わせる楽しさに加えて、組み合わせた後にも楽しめるジグソーパズルを提供する。【解決手段】  本発明は、所要の輪郭形状に打ち抜きカットされた複数のピース2を組み合わせることによって表面に記載された図柄や絵柄を完成させるジグソーパズル1において、表面に複数のピース2に跨ってＱＲコード3が記載され、該ＱＲコード3には携帯電話で開くことが可能な所定のＷＥＢページのアドレス情報が表示されているものであり、ＱＲコード3に携帯電話でアクセスすることにより、携帯電話の表示画面に表示された画像やテキストの表示を楽しむことができるものである。【選択図】      図１
2009183390.tif 000002
【特許請求の範囲】
【請求項１】
所要の輪郭形状に打ち抜きカットされた複数のピースを組み合わせることによって表面に記載された図柄や絵柄を完成させるジグソーパズルにおいて、
表面に携帯電話で読み取り可能な一つ又は複数の二次元コードが記載され、前記ピースを組み合わせた後、携帯電話で前記二次元コードを読み取ることによって前記携帯電話の表示画面に表示される画像やテキストの表示を更に楽しめることを特徴とするジグソーパズル。
【請求項２】
前記二次元コードは、ＱＲコードであることを特徴とする請求項１に記載のジグソーパズル。
【請求項３】
前記一つの二次元コードは、前記複数のピースに跨って記載されていることを特徴とする請求項１又は請求項２に記載のジグソーパズル。
【請求項４】
前記二次元コードには、該二次元コードが記載されている位置の周縁に記載された図柄や絵柄と関連性を有する動画が配信されているＷＥＢページのアドレスが表示されていることを特徴とする請求項１乃至請求項３のいずれかに記載のジグソーパズル。
【発明の詳細な説明】
【技術分野】
【０００１】
本発明は、ＱＲコード等の二次元コードを備えたジグソーパズルに関する。
【背景技術】
【０００２】
雌雄噛合部等を有する所要の輪郭形状に打ち抜きカットされた複数のピースを組み合わせて、一つの大きな絵や模様、風景等を作成するジグソーパズルは、老若男女を問わず多くの人に親しまれている。
【０００３】
従来このジグソーパズルは複数のピースを組み合わせることの困難さ及び組み合わせた後の爽快感や達成感を楽しみの要因としていたが、近年では、絵や模様、風景等の代りにメッセージ等を描くことにより、ピースを組み合わせないとメッセージを判読できないといったようなジグソーパズルを組み合わせる楽しさの他に異なる目的を付加したジグソーパズルが提案されている（例えば特許文献１）。又、海外においては、簡単なミステリー小説と組み合わせ、ミステリー小説の中で犯人や犯行の方法等を遊戯者に推理させ、ジグソーパズルを組み合わせることによってその答えが解るといったような、ジグソーパズルが推理小説のワンシーンとなるものも販売されている。
【特許文献１】特開２００１−３００１２６号公報
【発明の開示】
【発明が解決しようとする課題】
【０００４】
上述したようなジグソーパズルは、複数のピースを組み合わせることを楽しみとするものであり、組み合わせて表面に描かれた絵や模様、風景或いはメッセージ等を確認した後に更に遊戯可能なものではなかった。よって複数のピースを組み合わせた後は鑑賞する以外の使用方法がなかった。
【０００５】
一方、近年は玩具の技術が発達し、様々な嗜好をこらした玩具が販売されているため、根強い人気を誇っているジグソーパズルにおいても、老若男女を問わず多くの人に遊戯をしてもらうためには新たな嗜好を付加する必要があった。
【０００６】
本発明は、このような課題に鑑みて成されたものであり、複数のピースを組み合わせる楽しさに加えて、組み合わせた後に更なる嗜好を楽しめるジグソーパズルを提供することを目的としている。
【課題を解決するための手段】
【０００７】
本発明は、所要の輪郭形状に打ち抜きカットされた複数のピースを組み合わせることによって表面に記載された図柄や絵柄を完成させるジグソーパズルにおいて、表面に携帯電話で読み取り可能な一つ又は複数の二次元コードが記載され、前記ピースを組み合わせた後、携帯電話で前記二次元コードを読み取ることによって前記携帯電話の表示画面に表示される画像やテキストの表示を更に楽しめることを特徴とするものである。
【０００８】
又、前記二次元コードは、ＱＲコードであることを特徴とするものである。
【０００９】
更に、前記一つの二次元コードは、前記複数のピースに跨って記載されていることを特徴とするものである。
【００１０】
そして、前記二次元コードには、該二次元コードが記載されている位置の周縁に記載された図柄や絵柄と関連性を有する動画が配信されているＷＥＢページのアドレスが表示されていることを特徴とするものである。
【発明の効果】
【００１１】
本発明によれば、表面にＱＲコード等の二次元コードを記載することにより、ピースを組み合わせる楽しさに加えて、組み合わせた後にも所定のＷＥＢページに携帯電話でアクセスすることによって楽しむことができるジグソーパズルを提供できる。
【発明を実施するための最良の形態】
【００１２】
本発明を実施するための最良の形態は、所要の輪郭形状に打ち抜きカットされた複数のピース2を組み合わせることによって表面に記載された図柄や絵柄を完成させるジグソーパズル1において、表面に一つのＱＲコード3が記載され、該ＱＲコード3には携帯電話で開くことが可能な所定のＷＥＢページのアドレス情報が表示されているものであり、複数のピース2を組み合わせた後に携帯電話でＱＲコード3を読み込むことによって携帯電話の表示画面に表示された画像やテキストの表示を更に楽しむことができるものである。
【００１３】
又、このＱＲコード3は、ジグソーパズル1の表面に大きく記載され、複数のピース2に跨って記載されているものである。
【実施例】
【００１４】
以下、本発明の実施例を図に基づいて詳説する。本発明のジグソーパズル1は、図１に示すように、略はがき形状の厚紙等を雌雄噛合部を有する所要の輪郭形状の複数のピース2に打ち抜きカットすることにより形成されたものであって、表面の略中央に二次元コードである１つのＱＲコード3が大きく描かれているものである。
【００１５】
このＱＲコード3とは、正方形の領域内に小さな正方形のブロックが所定の規則に従って複数並設されることにより所定の情報を表示する二次元コードであり、様々な太さの縦線を並設することによって形成されるバーコードよりも情報量が多く、最大で英数字であれば３９５文字、漢字であれば１６７文字まで表すことができ、シンボルサイズ（セル数）を変更することによって情報量も変更でき、読み取り装置として携帯電話等身近なものを利用できる新たなＪＩＳ規格である。又、ＱＲコード3の中の所定の領域内に絵を描くことも可能である。
【００１６】
そして、本実施例のジグソーパズル1におけるＱＲコード3は、中央の所定の領域内に所定の絵柄や図柄が記載され、この所定の絵柄や図柄と関連性を有する所定のメッセージと動画が流れるＷＥＢページのアドレスが表示されているものである。
【００１７】
更に、ＱＲコード3は、複数のピース2に跨って記載されており、ピース2を組み合わせることによってＱＲコード3が完成するものである。このようにＱＲコード3を複数のピース2に分割した場合、ＱＲコード3を読み込む時にピース2を形成する切断線がＱＲコード3のコード配列に影響を及ぼして読み込み難くなるおそれがあるが、本実施例のようにＱＲコード3が大きく記載されている場合にはピース2を形成する切断線がＱＲコード3のコード配列に及ぼす影響が小さいため、ＱＲコード3を複数のピース2に跨って記載することが可能となるものである。
【００１８】
又、本実施例のジグソーパズル1は、３０ピースから１００ピース程の比較的少量のピース2に打ち抜きカットされているものである。これは、はがき形状のジグソーパズル1の表面に正方形のＱＲコード3のみが描かれ、ＱＲコード3の周縁には全体模様や白地の余白があるため、この余白部分のピース2を組み合わせる場合、目印となるものが無いために組み合わせることが困難とならないようにすると共に、ＱＲコード3の中に入る切断線を少なくして読み取り時の切断線による影響を少なく抑えるためである。
【００１９】
次に本実施例のジグソーパズル1の使用方法について述べる。例えば、誕生日のお祝いメッセージと動画が配信されているＷＥＢページのアドレスが表示されたＱＲコード3がジグソーパズル1に記載されている場合、購入者がこのジグソーパズル1をピース2ごとにバラバラにした状態で封筒等に入れ誕生日を迎える知人等に送る。ジグソーパズル1を受け取った知人は、まず各ピース2を組み合わせ、完成したジグソーパズル1に記載されたＱＲコード3を携帯電話のカメラ機能によって読み込み、ＷＥＢページにアクセスする。すると、図２に示すように、携帯電話6の表示画面6aに「あなたと私とみんなが一緒にいる幸せを胸に・・・」といったメッセージが流れ「ＨＡＰＰＹ  ＢＩＲＴＨＤＡＹ」というメッセージ及びキャラクターが画面に表示されるものである。
【００２０】
本実施例のジグソーパズル1によれば、表面にＱＲコード3を記載することにより、各ピース2を組み合わせる楽しみを味わうことができると共に、組み合わせた後にＱＲコード3に表示されているＷＥＢページにアクセスすることによって更に楽しむことができるため、従来のジグソーパズルのように組み合わせて終わりといったものと違い、新たな嗜好を提供できる。
【００２１】
又、ＱＲコード3は近年若者等が手放せないものである携帯電話で簡単に読み込むことができるため、ジグソーパズル1と携帯電話を用いて遊戯させることにより、今までジグソーパズル1等に興味がなかった人でも携帯電話というアイテムによって興味をひくことができるものである。
【００２２】
そして、ＱＲコード3の中に絵柄や図柄を記載することにより、絵柄や図柄がないＱＲコード3のみが記載されているジグソーパズル1よりも組み合わせた後の楽しさが増し、又、ＱＲコード3に表示されたアドレスがどのようなＷＥＢページのアドレスなのかを予想できるため安心してアクセスすることができ、更に、組み合わせる時においても絵柄や図柄が記載されていることによって組み合わせることが容易となるものである。
【００２３】
又、このようにＱＲコード3の中央の所定の領域内に所定の絵柄や図柄を記載するものに限ることなく、絵柄や図柄を記載せずにＱＲコード3のみを記載することもある。この場合、ＱＲコード3に表示されているアドレスにアクセスする場合において、未知のＷＥＢページにアクセスするため、どのようなメッセージなのかという期待感を持たせることができると共に、ピース2を組み合わせることの難易度を上げるように調整することもできる。
【００２４】
そして、ジグソーパズル1を送る側においては、メッセージをバラバラにした状態で送るという普段とは違った嗜好を楽しむことができ、一風変わった告白やお祝いをすることができる。
【００２５】
そして、本実施例におけるジグソーパズル1は、上述したようなメッセージカードとしての使用に限定されず、企業のホームページのアドレスが表示されたＱＲコード3をジグソーパズル1に記載し、このジグソーパズル1を配ることによって、通常であれば多くの宣伝費用を掛けてもアクセスしてもらうことが困難な企業のホームページ等に、楽しみながらアクセスしてもらうことができるようになり、高い宣伝効果を得ることもできる。
【００２６】
又、本実施例においては、ＱＲコード3にＷＥＢページのアドレスを表示しているが、代りにメッセージ等の文字情報を表示させることにより、携帯電話でＱＲコード3を読み取るとＷＥＢページ等にアクセスすることなく、携帯電話の表示画面に直接メッセージが表示されるようにすることも可能である。
【００２７】
更に、ＱＲコード3に表示されているＷＥＢページを日によって異なるメッセージと動画が流れるように設定しておくことで、日によって違うメッセージと動画を見ることができ、一度でなく何度も楽しむことができる。
【００２８】
尚、本実施例のジグソーパズル1では、図１に示したように、ＱＲコード1の周縁は余白又は模様となっているが、ピース2の数が５０ピース程度以上の場合は、ＱＲコード3の周縁の余白部分に模様や絵柄を描いてピース2の組み合わせを容易とすることもある。このように余白部分に模様や絵柄を描くことにより、組み合わせを容易とするだけでなく組み合わせた後に絵柄や図柄を見ることで楽しみを増やすこともでき、更に、ＱＲコード3に表示されたメッセージの内容が予想できるようになるため、アクセスするＷＥＢページに対しての不安を解消し、安心してＷＥＢページにアクセスさせることもできるものである。
【００２９】
そして、本実施例の変形例として、図３に示すように、ピース2を上述した実施例におけるピース2の数よりも少数であって直線や曲線を有する所要の輪郭形状に打ち抜きカットすることによって形成し、該ピース2を方形状の枠体9の中に並べることによってパズルを完成させるジグソーパズル1とすることもできる。
【００３０】
このようなジグソーパズル1は、ピース2が少量であって、上述した実施例のようにピース2の雌雄噛合部を嵌め合わせる必要もなく、枠体9の中でピース2を移動させているうちに完成させることができるため、乳幼児等でも容易に組み合わせることができ、楽しむことができるジグソーパズル1を提供できる。
【００３１】
次に他の実施例として、絵柄等が全体に描かれ数百ピース等多数のピース2に分割される通常のジグソーパズル1について述べる。上述した実施例においては、一つのＱＲコード3が記載された略はがきサイズのジグソーパズル1について述べたが、本変形例のジグソーパズル1は、図３に示すように、絵柄や図柄の中に複数の小さなＱＲコード3が散りばめるように記載されている。そして、複数のＱＲコード3の中には、まるで模様のように記載されていたり、又、ＱＲコード3が記載されている位置の周縁の色合いと同系色で形成されていたりすることによって発見し難く形成されているものもある。
【００３２】
又、所定の一つのＱＲコード3ができる限り所定の一つのピース2内に記載されるように形成されているものである。このように所定のＱＲコード3を所定の一つのピース2内に記載されるように形成しているのは、上述した実施例の場合と比較して本変形例におけるＱＲコード3は小さく、ＱＲコード3が複数のピース2に分割された場合、ピース2間の切断線がＱＲコード3のコード配列に影響を及ぼし、ＱＲコード3を読み込むことができない又は読み込みが困難になるためである。もっとも、ピース2の大きさやＱＲコード3の大きさによって、一つのピース2内にＱＲコード3を記載する場合に限ることなく、ＱＲコード3を二つのピース2、四つのピース2或いは九つのピース2に跨るようにすることもある。この場合には、ピース2間の切断線をできる限り目立たなくするため、ピース2の外形状を鋭利に打ち抜き、ピースとピースとの間に間隙が生じないようにカットすることにより、読み取りが困難となることを防止するものである。
【００３３】
そして、このＱＲコード3に表示されているアドレスのＷＥＢページには、ＱＲコード3が記載されている位置の絵柄や図柄又はキャラクター等と関連性を有した動画等が配信されているものである。例えば、図示しないが、白雪姫に関する絵柄が記載されたジグソーパズルであった場合に、魔女の鏡にＱＲコードを記載し、このＱＲコードを携帯電話で読み込みＷＥＢページにアクセスすると、携帯電話の表示画面に鏡の精が現れて「この世で一番美しいのは白雪姫です」としゃべるといったような、物語をジグソーパズル1と携帯電話で再現することができるものである。
【００３４】
本変形例におけるジグソーパズル1によれば、複数のＱＲコード3を表面の所定の位置に散りばめて記載しＱＲコード3を発見し難くすることで、遊戯者は、まずピースを組み合わせることで楽しむことができ、次に、ＱＲコード3を探すことで楽しむことができ、更に、ＱＲコード3に記載されたＷＥＢページにアクセスすることで楽しむことができる。
【００３５】
又、ＱＲコード3が記載されている周縁の絵柄、図柄、キャラクター等とＱＲコード3に表示されているアドレスのＷＥＢページの内容が関連性を有していることにより、一枚のジグソーパズル1が絵本のようにストーリーを持つこととなり、従来のジグソーパズルと違って組み合わせた後においても楽しむことができるものである。
【００３６】
更に、ジグソーパズル1に記載された複数のＱＲコード3をすべて発見し、ＱＲコード3に表示されているアドレス全てにアクセスすることによって新たなＷＥＢページにアクセスできるようにしたり、エンディングのＷＥＢページにアクセスできるようにすることで、ジグソーパズル1の域を超えた新たな玩具として楽しむことができるものである。
【００３７】
又、アクセス先のＷＥＢページの内容を日ごとに変化させることもできる。このようにＷＥＢページの内容を日ごとに変化させることで、組み合わせた後も長い間ジグソーパズル1を楽しむことができる。
【００３８】
更に、ジグソーパズル1に映画や漫画等のワンシーンが描かれている場合に、ＷＥＢページにそのワンシーンに至るまでの数分前の動画を配信することで、映像のタイムマシーンのように楽しむこともできる。
【００３９】
尚、上述した実施例及び変形例においては、二次元コードとしてＱＲコードについて述べたが、海外では異なる二次元コードを用いているため、ＰＤＦ４１７やマキシコード等をＱＲコードの代りに用いることも可能である。
【００４０】
そして、本発明は以上の実施例に限定されるものでなく、発明の要旨を逸脱しない範囲で自由に変更、改良が可能であり、ＷＥＢページの内容を変化させることにより様々な形態で遊戯可能である。
【図面の簡単な説明】
【００４１】
【図１】本発明の実施例に係るジグソーパズルの正面図。
【図２】本発明の実施例に係るジグソーパズルに記載されたＱＲコードを携帯電話で読み込んだ場合の携帯電話の表示画面を示す参考図。
【図３】本発明の変形例に係るジグソーパズルの正面図。
【図４】本発明の他の実施例に係るジグソーパズルの正面図。
【符号の説明】
【００４２】
1  ジグソーパズル
2  ピース
3  ＱＲコード
6  携帯電話
6a  携帯電話の表示画面
9  枠体
【図１】
2009183390.tif 000003
【図２】
2009183390.tif 000004
【図３】
2009183390.tif 000005
【図４】
2009183390.tif 000006